(57)【要約】      （修正有）【課題】波形板材の切断・折り曲げを楽に行い、スピーディーに施工し、容易に操作することができる板材の切断・折り曲げ装置を提供する。【解決手段】波形板材の切断・折り曲げ装置は、ベース１、２つのカッター２、付勢機構３及び折り曲げ機構４を備える。２つのカッターは、ベースの第１の端部の両側に対称に配設される。各カッターは、ベースの第１の端部から突出した第１のカッター刃及び第２のカッター刃を有する。第１のカッター刃の後端はベースに固定され、第２のカッター刃は、第１のカッター刃に回動可能に枢着される。波形板上にベースを設置し、２つのカッターの刃先をもう一つの波形板の縁部に咥えさせ、付勢機構のハンドルバー３２を操作して第２のカッター刃を押動すると、波形板に２つの切口２０２が切り出され、折り曲げ機構により２つの切口間の板片２０３が上方に折り曲げられる。【選択図】図１
0003224139.tif 000002
【実用新案登録請求の範囲】
【請求項１】
ベース、２つのカッター、付勢機構及び折り曲げ機構を備えるとともに、板材の切断・折り曲げに用いる、板材の切断・折り曲げ装置であって、
前記ベースの第１の端部の上面には、２つの枢着ベースが設けられ、
前記２つのカッターは、前記ベースの第１の端部の両側にそれぞれ対称に配設され、各カッターは、前記ベースの第１の端部から突出した第１のカッター刃及び第２のカッター刃を有し、前記第１のカッター刃の後端には、固定部が設けられ、前記固定部は、前記ベースに固定され、前記第２のカッター刃は、前記第１のカッター刃に回動可能に枢着され、前記第２のカッター刃の後辺には、受力辺が形成され、
前記付勢機構は、回転軸、ハンドルバー、２つのロッカアーム及び加力棒を有し、回転軸は、前記２つの枢着ベース間に回転可能に水平に配設され、ハンドルバーは、一端が回転軸上に結合されて揺動されると、回転軸が回転し、２つのロッカアームは、回転軸の両端に結合されるとともに、２つのロッカアームが回転軸によりその一端が上下に揺動され、加力棒は、２つのロッカアーム間にブリッジ接続され、加力棒の棒本体は、前記第２のカッター刃の受力辺に当接され、加力棒を上下に揺動させると前記第２のカッター刃のブレードと前記第１のカッター刃のブレードとが挟み込むか開き、
前記折り曲げ機構は、前記ベースの第１の端部の上面に配設され、前記付勢機構により駆動される折り板部材を有することを特徴とする、板材の切断・折り曲げ装置。
【請求項２】
前記第２のカッター刃の受力辺は、後ろ下がりに向かう円弧辺であり、
前記加力棒は、前記円弧辺に当接されることを特徴とする請求項１に記載の板材の切断・折り曲げ装置。
【請求項３】
前記カッターは、第１の弾性部材を有し、
前記第１の弾性部材により前記第２のカッター刃のブレードと前記第１のカッター刃のブレードとが開かれることを特徴とする請求項１又は２に記載の板材の切断・折り曲げ装置。
【請求項４】
前記第１の弾性部材は引張ばねであり、
前記引張ばねは、前記ベースと前記第２のカッター刃との間に接続されることを特徴とする請求項３に記載の板材の切断・折り曲げ装置。
【請求項５】
前記２つの枢着ベース中には、軸受がそれぞれ設けられ、
前記回転軸の両端は、前記軸受に挿通されることを特徴とする請求項１に記載の板材の切断・折り曲げ装置。
【請求項６】
前記折り曲げ機構は、ソケット、第１の連結部、第２の連結部及び第３の連結部を有し、
前記ソケットは、前記回転軸に回動可能に嵌設され、
第１の連結部の一端は、前記ソケット上に固定され、
前記第２の連結部は、一端が第１の連結部に枢着され、他端が折り板部材の第１の枢着位置に枢着され、
前記第３の連結部は、一端が折り板部材の第２の枢着位置に枢着され、他端がベース上の枢着部に枢着されるとともに、凸片を有し、
前記凸片は、加力棒の棒本体上に当接されることを特徴とする請求項１に記載の板材の切断・折り曲げ装置。
【請求項７】
前記ソケットは、内部に連通する帯状溝を有し、
前記帯状溝は、前記ソケットの円周に沿って円周長が延び、前記ハンドルバーの一端が前記帯状溝に挿通されて回転軸上に結合されることを特徴とする請求項６に記載の板材の切断・折り曲げ装置。
【請求項８】
前記折り板部材は、一本のロッドで構成されるとともに、一端に前記第１の枢着位置及び前記第２の枢着位置がそれぞれ設けられ、他端に上向きに回転可能な折り曲げ板材が設けられることを特徴とする請求項６に記載の板材の切断・折り曲げ装置。
【請求項９】
前記折り曲げ機構は、第２の弾性部材を有し、
前記第２の弾性部材は、折り板部材を元の位置に戻すことを特徴とする請求項８に記載の板材の切断・折り曲げ装置。
【考案の詳細な説明】
【技術分野】
【０００１】
本考案は、板材の切断・折り曲げ装置に関し、特に、波形板その他板材を切断するのに用い、板材の縁部を切断すると同時に折り曲げ、取付けるのに必要な階段状切欠きを形成することができる、板材の切断・折り曲げ装置に関する。
【背景技術】
【０００２】
従来の波形板は、断面が連続した階段状の鋼板からなり、屋根、オーニング、側壁などを構築する。波形板が連続した階段状の板片であるため、その一端が壁面に突き合わされるときに、大きな間隙が生じてしまうか、切妻屋根を作るときに大きな間隙が生じてしまうため、重ね合わせ端部を板材により覆ってから、シーリング材などで小さな間隙を充填していた。しかし、板材を波形板と結合するときには、縁部を階段状切欠きに切り出し、階段状切欠きを波形板の階段状プレート上に嵌設しなければ、完全な納まり工程を完了させることはできなかった。
【０００３】
板材の縁部を階段状切欠きに切り出す従来技術では、作業を行う者はカッターを手で持って行っていたため、綺麗で揃った階段状切欠きを切り出すことができない上、カッターを使用して切断すると多くの体力を消耗するため、施工作業を素早く行うこともできなかった。
【０００４】
そのため本考案者は、様々な種類の板材の切断・折り曲げ機構の設計を既に提出している。例えば、特許文献１のように波形板その他板材の縁部を切断するのに応用し、波形板その他板材の縁部に、取付けるときに必要な階段状切欠きを形成した。本考案は、従来の板材切断装置を改良し、板材の切断・折り曲げを楽に行い、スピーディーに施工し、容易に操作することができるようにした。
【先行技術文献】
【特許文献】
【０００５】
【特許文献１】台湾実用新案公告第Ｍ５３０２２８号公報
【考案の概要】
【考案が解決しようとする課題】
【０００６】
本考案は従来技術の問題点に鑑みてなされたものであり、本考案者は、上記課題を解決するための鋭意検討を重ねた結果、板材の切断・折り曲げを楽に行い、スピーディーに施工し、容易に操作することができる、本考案に想到するに至った。
本考案の主な目的は、波形板その他板材の縁部を切断すると同時に折り曲げ、波形板などの板材の縁部に、取付けるのに必要な階段状切欠きを形成し、板材の切断・折り曲げを楽に行い、スピーディーに施工し、容易に操作することができる板材の切断・折り曲げ装置を提供することにある。
【課題を解決するための手段】
【０００７】
上記課題を解決するために、本考案の第１の形態によれば、ベース、２つのカッター、付勢機構及び折り曲げ機構を備えるとともに、板材の切断・折り曲げに用いる、板材の切断・折り曲げ装置であって、前記ベースの第１の端部の上面には、２つの枢着ベースが設けられ、前記２つのカッターは、前記ベースの第１の端部の両側にそれぞれ対称に配設され、各カッターは、前記ベースの第１の端部から突出した第１のカッター刃及び第２のカッター刃を有し、前記第１のカッター刃の後端には、固定部が設けられ、前記固定部は、前記ベースに固定され、前記第２のカッター刃は、前記第１のカッター刃に回動可能に枢着され、前記第２のカッター刃の後辺には、受力辺が形成され、前記付勢機構は、回転軸、ハンドルバー、２つのロッカアーム及び加力棒を有し、回転軸は、前記２つの枢着ベース間に回転可能に水平に配設され、ハンドルバーは、一端が回転軸上に結合されて揺動されると、回転軸が回転し、２つのロッカアームは、回転軸の両端に結合されるとともに、２つのロッカアームが回転軸によりその一端が上下に揺動され、加力棒は、２つのロッカアーム間にブリッジ接続され、加力棒の棒本体は、前記第２のカッター刃の受力辺に当接され、加力棒を上下に揺動させると前記第２のカッター刃のブレードと前記第１のカッター刃のブレードとが挟み込むか開き、前記折り曲げ機構は、前記ベースの第１の端部の上面に配設され、前記付勢機構により駆動される折り板部材を有することを特徴とする、板材の切断・折り曲げ装置が提供される。
【０００８】
前記第２のカッター刃の受力辺は、後ろ下がりに向かう円弧辺であり、前記加力棒は、前記円弧辺に当接されることが好ましい。
【０００９】
前記カッターは、第１の弾性部材を有し、前記第１の弾性部材により前記第２のカッター刃のブレードと前記第１のカッター刃のブレードとが開かれることが好ましい。
【００１０】
前記第１の弾性部材は引張ばねであり、前記引張ばねは、前記ベースと前記第２のカッター刃との間に接続されることが好ましい。
【００１１】
前記２つの枢着ベース中には、軸受がそれぞれ設けられ、前記回転軸の両端は、前記軸受に挿通されることが好ましい。
【００１２】
前記折り曲げ機構は、ソケット、第１の連結部、第２の連結部及び第３の連結部を有し、前記ソケットは、前記回転軸に回動可能に嵌設され、第１の連結部の一端は、前記ソケット上に固定され、前記第２の連結部は、一端が第１の連結部に枢着され、他端が折り板部材の第１の枢着位置に枢着され、前記第３の連結部は、一端が折り板部材の第２の枢着位置に枢着され、他端がベース上の枢着部に枢着されるとともに、凸片を有し、前記凸片は、加力棒の棒本体上に当接されることが好ましい。
【００１３】
前記ソケットは、内部に連通する帯状溝を有し、前記帯状溝は、前記ソケットの円周に沿って円周長が延び、前記ハンドルバーの一端が前記帯状溝に挿通されて回転軸上に結合されることが好ましい。
【００１４】
前記折り板部材は、一本のロッドで構成されるとともに、一端に前記第１の枢着位置及び前記第２の枢着位置がそれぞれ設けられ、他端に上向きに回転可能な折り曲げ板材が設けられることが好ましい。
【００１５】
前記折り曲げ機構は、第２の弾性部材を有し、前記第２の弾性部材は、折り板部材を元の位置に戻すことが好ましい。
【考案の効果】
【００１６】
本考案の板材の切断・折り曲げ装置は、階段状の波形板上にベースを設置し、２つのカッターの刃先をもう一つの波形板などの板材の縁部に咥えさせ、ユーザが付勢機構のハンドルバーを操作し、ロッカアーム及び加力棒を上方に揺動させ、加力棒により第２のカッター刃を押動すると、波形板に２つの切口を切り出すことができる。また、ハンドルバーを操作し続けて折り曲げ機構を駆動すると、折り板部材の他方の端部が上方に揺動され、２つの切口間の２つの板片が上方に揺動され、板材の切断・折り曲げを楽に行い、スピーディーに施工し、容易に操作することができる。
【図面の簡単な説明】
【００１７】
【図１】本考案の一実施形態に係る板材の切断・折り曲げ装置の使用状態の説明図である。
【図２】本考案の一実施形態に係る板材の切断・折り曲げ装置を示す正面斜視図である。
【図３】本考案の一実施形態に係る板材の切断・折り曲げ装置を示す背面斜視図である。
【図４】本考案の一実施形態に係る板材の切断・折り曲げ装置を示す平面図である。
【図５】本考案の一実施形態に係る板材の切断・折り曲げ装置を示す縦向断面図である。
【図６】本考案の一実施形態に係る板材の切断・折り曲げ装置の切断動作の説明図である。
【図７】本考案の一実施形態に係る板材の切断・折り曲げ装置の折り曲げ動作の説明図である。
【考案を実施するための形態】
【００１８】
以下、本考案を実施形態に基づいて、より具体的に説明する。但し、本考案はこれらの実施形態に何ら限定されるものではない。
【００１９】
図１を参照する。図１に示すように、本考案の一実施形態に係る板材の切断・折り曲げ装置は、波形板１０上に配設され、波形板その他板材２０を切断するのに用い、波形板１０の組立てに必要な階段状切欠き２０１を形成する。図２、図３及び図４を併せて参照する。図２、図３及び図４に示すように、本考案の一実施形態に係る板材の切断・折り曲げ装置は、少なくともベース１、２つのカッター２、付勢機構３及び折り曲げ機構４から構成されてなる。
【００２０】
図２及び図３を参照する。図２及び図３に示すように、ベース１は金属プレートを折り曲げて断面が上から下方向へ広くなった階段状、下向きのコ字状その他の形状に形成され、好ましくは、一般の波形板の寸法に対応した階段状構造であり、断面が階段状の波形板１０上に嵌設して使用する（図１を参照する）。ベース１の第１の端部の上面には、対称な２つの枢着ベース１１が設けられる。２つの枢着ベース１１中には、軸受がそれぞれ設けられる。ベース１の第１の端部の上面中央部には、枢着部１２が設けられ（図４及び図５を参照する）、２つの枢着ベース１１と、枢着部１２とを介して以下の部材を取り付ける。
【００２１】
図３、図５及び図６を参照する。図３、図５及び図６に示すように、２つのカッター２は、ベース１の第１の端部の両側にそれぞれ対称に配設される。各カッター２は、ベース１の第１の端部から突出した第１のカッター刃２１及び第２のカッター刃２２を有する。第１のカッター刃２１は、Ｌ字状の構造からなり、その前端にブレード２１１が設けられ、その後端に固定部２１２が設けられ、固定部２１２及び複数の固定部材２４により第１のカッター刃２１をベース１の側面に固定させる。第２のカッター刃２２の下端は、第１のカッター刃２１の内面に回転可能に枢着される。第２のカッター刃２２の前辺には、凸弧状のブレード２２１が形成され、その後辺には、凹弧状の受力辺２２２が形成されており、受力辺２２２に力が加えられると第２のカッター刃２２が押動され、第２のカッター刃２２と第１のカッター刃２１とが当接されるか離される。第１のカッター刃２１の受力辺２２２は、好ましくは後ろ下がりに向かう円弧辺である。また、各カッター２は、第１の弾性部材２３を有してもよい。第１の弾性部材２３は、第２のカッター刃２２のブレードと第１のカッター刃２１のブレードとを離すことができる。第１の弾性部材２３の好適な実施形態の一つは引張ばね２３１である。引張ばね２３１は、ベース１の枢着ベース１１（又は他の部位）と第２のカッター刃２２との間に接続され、各カッター２の刃先を開くことができる。
【００２２】
図３、図４及び図５を参照する。図３、図４及び図５に示すように、付勢機構３は、好ましくは回転軸３１、ハンドルバー３２、２つのロッカアーム３３及び加力棒３４を有する。付勢機構３は、好ましくは回転軸３１を有する。回転軸３１は、上述した２つの枢着ベース１１間に回転可能に水平に配設され、その両端が２つの枢着ベース１１の軸受にそれぞれ挿通される。ハンドルバー３２は、一端が回転軸３１の中央近くの上面に結合され、ユーザがハンドルバー３２を把持して揺動させ、回転軸３１を回転させる。２つのロッカアーム３３は、回転軸３１の両端に結合されるとともに、２つの枢着ベース１１の外側に位置し、２つのロッカアーム３３は回転軸３１によりその一端（前端）を上下に揺動させることができる。加力棒３４は、２つのロッカアーム３３の前端間にブリッジ接続される。加力棒３４の棒本体上面は、上昇されると第２のカッター刃２２の受力辺２２２の円弧辺に当接され（図６を参照する）、第２のカッター刃２２を押動して第１のカッター刃２１に寄せ、加力棒３４の上下揺動により第２のカッター刃２２のブレード２２１と第１のカッター刃２１のブレード２１１とで挟み込むか開くことができる。
【００２３】
図２〜図５を参照する。図２〜図５に示すように、折り曲げ機構４は、ベース１の第１の端部の上面に配設されるとともに、上述した付勢機構３により駆動される折り板部材４１を有する。折り曲げ機構４の好適な実施形態は、ソケット４２、第１の連結部４３、第２の連結部４４及び第３の連結部４５を有する。ソケット４２は、上述した付勢機構３の回転軸３１に回転可能に嵌設される。ソケット４２は、内部に連通する帯状溝４２１を有する。帯状溝４２１は、ソケット４２の円周に沿って円周長が延び、上述したハンドルバー３２の一端が帯状溝４２１に挿通されて回転軸３１上に結合される。第１の連結部４３の一端は、ソケット４２上に固定される。第２の連結部４４は、一端が第１の連結部４３に枢着され、他端が折り板部材４１の第１の枢着位置４１１に枢着される。第３の連結部４５は、一端が折り板部材４１の第２の枢着位置４１２に枢着され、他端がベース１上の枢着部１２に枢着される。第３の連結部４５の後辺には、凸片４５１が設けられる。凸片４５１の下辺は、上述した加力棒３４の棒本体上に当接される。
【００２４】
図５を参照する。図５に示すように、上述した折り板部材４１は、一本のロッドで構成されることが好ましい。折り板部材４１は、一端に第１の枢着位置４１１及び第２の枢着位置４１２がそれぞれ設けられ、他端に上向きに回転可能な折り曲げ板材が設けられる。上述した折り曲げ機構４は、第２の弾性部材４６を有する。第２の弾性部材４６は、折り板部材４１を元の位置に戻す。第２の弾性部材４６は、折り板部材４１とベース１との間に接続された引張ばね４６１でもよい。
【００２５】
本実施形態の板材の切断・折り曲げ装置を実際に使用するとき、図５に示すように、まず、板材の切断・折り曲げ装置を移動させ、２つのカッター２の刃先Ａを板材２０の縁部に咥えさせることができる。図６に示すように、ユーザが付勢機構３のハンドルバー３２を後方に揺動させると、ハンドルバー３２により回転軸３１と、２つのロッカアーム３３と、加力棒３４とが上方に揺動され、加力棒３４が第２のカッター刃２２の受力辺２２２に当接されて第２のカッター刃２２を上方に押動させ、第２のカッター刃２２と第１のカッター刃２１の刃先Ａとが閉じるため、板材の縁部を２つの切口２０２に切り出すことができる（図１を参照する）。
【００２６】
図１を参照する。図１に示すように、２つの切口２０２間の板片２０３を内側へ折り曲げると、図７に示すように、継続的に後方に回転させてハンドルバー３２を操作し、ハンドルバー３２をソケット４２の帯状溝４２１後端に当接させることにより、ソケット４２及び第１の連結部４３を後方に回転させ、第１の連結部４３により第２の連結部４４を下方へ回転させる。２つのロッカアーム３３及び加力棒３４は、依然として上方に回転し続け、加力棒３４を第３の連結部４５の凸片４５１の下縁に押し付け、第３の連結部４５を前方へ回転させる。これにより、折り曲げ機構４は、４つの連結部の動作原理により、前方かつ上方に回転されると２つの切口２０２間の板片２０３を押動して内方に折り畳まれ（図１及び図７を参照する）、板材２０に必要な階段状切欠き２０１が形成される。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１  ベース
２  カッター
３  付勢機構
４  折り曲げ機構
１０  波形板
１１  枢着ベース
１２  枢着部
２０  板材
２１  第１のカッター刃
２２  第２のカッター刃
２３  第１の弾性部材
２４  固定部材
３１  回転軸
３２  ハンドルバー
３３  ロッカアーム
３４  加力棒
４１  折り板部材
４２  ソケット
４３  第１の連結部
４４  第２の連結部
４５  第３の連結部
４６  第２の弾性部材
２０１  階段状切欠き
２０２  切口
２０３  板片
２１１  ブレード
２１２  固定部
２２１  ブレード
２２２  受力辺
２３１  引張ばね
４１１  第１の枢着位置
４１２  第２の枢着位置
４２１  帯状溝
４５１  凸片
４６１  引張ばね
Ａ  刃先
【図１】
0003224139.tif 000003
【図２】
0003224139.tif 000004
【図３】
0003224139.tif 000005
【図４】
0003224139.tif 000006
【図５】
0003224139.tif 000007
【図６】
0003224139.tif 000008
【図７】
0003224139.tif 000009